(57)【要約】【課題】  余分な放熱が少なく耐久性の高い暖房便座及びそれを有する便器を提供すること。【解決手段】  暖房便座１０は、内部に空洞を有する便座筐体（１，２）と、便座筐体（１，２）に直接又は間接的に取り付けられたヒータ４と、便座筐体（１，２）の外側において、少なくとも着座面及び前記ヒータに対向する側面１ａを覆うよう取り付けられ、便座筐体（１，２）よりも軟質で断熱性を具備する被覆部材３と、便座筐体（１，２）の空洞内に配置された断熱材６と、を備え、被覆部材３と断熱材６によって便座筐体（１，２）及びヒータ４が挟まれた構造を有する。【選択図】  図２
2006197962.tif 000002
【特許請求の範囲】
【請求項１】
内部に空洞を有する便座筐体と、
前記便座筐体に直接又は間接的に取り付けられたヒータと、
前記便座筐体の外側において、少なくとも着座面及び前記ヒータに対向する側面を覆うよう取り付けられ、該便座筐体よりも軟質で断熱性を具備する被覆部材と、
前記便座筐体の前記空洞内に配置された断熱材と、
を備え、
前記被覆部材と前記断熱材によって前記便座筐体及び前記ヒータが挟まれた構造を有する、ことを特徴とする暖房便座。
【請求項２】
前記被覆部材は発泡樹脂であることを特徴とする請求項１記載の暖房便座。
【請求項３】
前記断熱材は、前記便座筐体の内部下面に取り付けられ、前記空洞全体を埋めることを特徴とする請求項１記載の暖房便座。
【請求項４】
前記断熱材は、前記便座筐体の内部上面に取り付けられ、前記空洞の一部を埋めるプレート状断熱材であることを特徴とする請求項１又は２記載の暖房便座。
【請求項５】
前記ヒータは、前記便座筐体の内面に取り付けられていることを特徴とする請求項１〜４のいずれか一記載の暖房便座。
【請求項６】
前記ヒータは、前記便座筐体の外面に取り付けられていることを特徴とする請求項１〜４のいずれか一記載の暖房便座。
【請求項７】
前記被覆部材は、前記便座筐体と着脱可能に凹凸嵌合することを特徴とする、請求項１〜６のいずれか一記載の暖房便座。
【請求項８】
前記凹凸嵌合は、前記被覆部材に形成された突起と、前記便座筐体に形成された穴部とでなされることを特徴とする、請求項７記載の暖房便座。
【請求項９】
請求項１〜８のいずれか一記載の暖房便座を有することを特徴とする便器。
【発明の詳細な説明】
【技術分野】
【０００１】
本発明は、暖房便座及びそれを有する便器に関する。
【背景技術】
【０００２】
従来の暖房便座は、ポリプロピレン等の樹脂製の筺体内部にヒータ線を、アルミ紙を介して貼り付けている。
【０００３】
特許文献１には、便座を便座本体と底板から構成して便座本体と底板の間に閉空間を形成し、便座本体の内面に熱伝導シートを介してヒータ線を貼り付け、底板上にはヒータ線と離間して断熱層を設け、便座本体の上面には保温層と保護層を設けた暖房便座が提案されている。保温層と保護層は、便座本体の側面の上部しか被覆していない。
【０００４】
特許文献２には、無数の気孔を有するゴム等の表皮材と下部材とから中空状に形成された便座筐体と、便座筐体内に配置され、ヒータと、ヒータの着座面（上面）側に配設された蓄熱材と、ヒータの下面側に配設された断熱材とから成る放熱体と、を有し、着座時には放熱体と表皮材とが接触する暖房便座が提案されている。
【０００５】
特許文献３には、便座を、合成樹脂製の基板と、基板上に載置されるコルク製の上板から構成し、基板上部に形成した凹部内にヒータを配設した暖房便座が提案されている。
【０００６】
特許文献４には、樹脂製（ポリプロピレン等）の便座筐体の着座面に軟質樹脂製（軟質ウレタン樹脂等）の座面を載置する便座が提案されている。
【０００７】
【特許文献１】特開平１１−３４２０９５号公報（段落００３３、図５）
【特許文献２】特開２００３−２４５２２５号公報（段落００２５、図６）
【特許文献３】特開２００４−１８０９２９号公報（段落００２８、図４）
【特許文献４】特開平５−１７６８６５号公報（要約）
【発明の開示】
【発明が解決しようとする課題】
【０００８】
しかしながら、特許文献１〜４に提案されている従来の暖房便座は、着座面からの放熱や筐体内部への放熱が大きく、すなわち、熱効率が悪いため省エネに関して課題が残っている。特に、特許文献１の暖房便座は、便座本体側面からの放熱が大きいという問題がある。特に、特許文献２の暖房便座は、人が着座する表皮材が放熱体と直接接触するため、耐久性が低いという問題がある。なお、特許文献４の便座のように、便座筺体の着座面に軟質樹脂（軟質ウレタン樹脂等）製の座面を載置する便座は、単に座り疲れを緩和しようとしているものである。
【０００９】
本発明の目的は、余分な放熱が少なく耐久性の高い暖房便座及びそれを有する便器を提供することである。
【課題を解決するための手段】
【００１０】
本発明は、第１の視点において、内部に空洞を有する便座筐体と、前記便座筐体に直接又は間接的に取り付けられたヒータと、前記便座筐体の外側において、少なくとも着座面及び前記ヒータに対向する側面を覆うよう取り付けられ、該便座筐体よりも軟質で断熱性を具備する被覆部材と、前記便座筐体の前記空洞内に配置された断熱材と、を備え、前記被覆部材と前記断熱材によって前記便座筐体及び前記ヒータが挟まれた構造を有する、ことを特徴とする暖房便座を提供する。
【発明の効果】
【００１１】
（１）ヒータが被覆部材と断熱材によって挟まれているため、ヒータ熱が着座面（被覆部材）に多く伝熱され、他に逃げにくい。
（２）被覆部材は、保温性を有するため、着座面からの放熱が減少する。
（３）被覆部材は、便座筐体外側の側面も覆っているため、該側面からの放熱が低減する。
（４）着座面に敷かれた被覆部材によって、座り疲れが改善される。
（５）ヒータが便座筐体に取り付けられ、すなわち、ヒータは便座筐体を介して、被覆部材と断熱材に挟まれているため、本発明の暖房便座は構造的な強度が高くなり、耐久性も高くなる。
【発明を実施するための最良の形態】
【００１２】
本発明の好ましい実施の形態に係る暖房便座は、便座筺体の着座面側が被覆部材（例えば、発泡ウレタン樹脂等）によって覆われ、筺体内部に断熱材（例えば、発泡ウレタン樹脂等）が配置され、便座筐体に対して取り付けられているヒータが、上下から被覆部材及び断熱材によって挟まれる構造を有することにより、ヒータの無駄な放熱が低減される。
【００１３】
本発明の好ましい実施の形態において、前記被覆部材は発泡樹脂であることにより、座り心地、保温性が改善され、無駄な放熱が減少する。例えば、発泡樹脂としては、発泡ウレタン、発泡ポリエチレン等を用いることができる。
【００１４】
本発明の好ましい実施の形態において、前記断熱材は、前記便座筐体の内部下面に取り付けられ、前記空洞全体を埋めることにより、便座筐体下部への放熱が減少する。
【００１５】
本発明の好ましい実施の形態において、前記断熱材は、前記便座筐体の内部上面に取り付けられ、前記空洞の一部を埋めるプレート状断熱材であることにより、断熱材の使用量を低減することができる。
【００１６】
本発明の好ましい実施の形態において、前記ヒータは、前記便座筐体の内面に取り付けられていることにより、ヒータが損傷を受けるおそれが減少する。
【００１７】
本発明の好ましい実施の形態において、前記ヒータは、前記便座筐体の外面に取り付けられていることにより、ヒータの取り付けが容易となる。
【００１８】
本発明の好ましい実施の形態において、前記被覆部材は、前記便座筐体と着脱可能に凹凸嵌合し、さらに好ましくは、前記凹凸嵌合は、前記被覆部材に形成された突起と、前記便座筐体に形成された穴部とでなされる。この形態によれば、被覆部材の着脱が容易となり、洗浄をすることができる。
【００１９】
本発明の暖房便座は、種々の便器に取り付けることができる。
【実施例１】
【００２０】
以下、図面を参照して、本発明の第１の実施例に係る暖房便座を説明する。
【００２１】
図１は、本発明の第１の実施例に係る暖房便座の外観を示す上面図である。
【００２２】
図１を参照すると、暖房便座１０は、不図示の便器に蝶番を介して揺動自在に取り付けられる。
【００２３】
図２は、図１のＡ−Ａ断面図であって、本発明の第１の実施例に係る暖房便座の構造を説明するための図である。
【００２４】
図１及び図２を参照すると、暖房便座１０は、硬質で内部に空洞を有する便座筐体（１，２）と、便座筐体（１，２）に直接又は間接的に取り付けられたヒータ４と、便座筐体（１，２）の外側において、少なくとも着座面及び前記ヒータに対向する側面１ａを覆うよう取り付けられ、便座筐体（１，２）よりも軟質で断熱性を具備する被覆部材３と、便座筐体（１，２）の空洞内に配置された断熱材６と、を備え、被覆部材３と断熱材６によって便座筐体（１，２）及びヒータ４が挟まれた構造を有する。
【００２５】
暖房便座１０は、周知の態様で便器４０の後部上面に枢着されており、使用時、便座筐体（１，２）の下側に固定のゴム足５０が、便器４０のリム面４１上に着座する。
【００２６】
便座筐体（１，２）は、内部に空洞が形成されるよう、アッパーカバー１とロアーカバー２が組み合わされて構成されている。
【００２７】
第１の実施例において、ヒータ４は、便座筐体（１，２）の内面（アッパーカバー１の内面）にアルミ紙５を介して取り付けられ、断熱材６は、断熱材固定用両面テープ７を介して、便座筐体（１，２）の内部下面（ロアーカバー２の上面）に取り付けられ、前記空洞全体を埋めている。
【００２８】
図３は、図１のＢ−Ｂ断面図であって、本発明の第１の実施例に係る暖房便座において、特に、被覆部材の取付構造を説明するための図である。
【００２９】
図３を参照すると、暖房便座１０の外周部（横断面端部）の両側において、被覆部材３には突起８ａが形成され、便座筐体（１，２）、特に、アッパーカバー１には穴部８ｂが形成され、両者は着脱可能に凹凸嵌合する。突起８ａ，穴部８ｂは、好ましくは、暖房便座１０の先端部と基部両側（蝶番近傍）の計３箇所に設けられる。
【００３０】
図４は、図１のＢ−Ｂ断面図であって、本発明の第１の実施例に係る暖房便座において、特に、被覆部材の別の取付構造を説明するための図である。
【００３１】
図４を参照すると、暖房便座１０の中央部（横断面中央部）において、被覆部材３には突起８ａが形成され、便座筐体（１，２）、特に、アッパーカバー１には穴部８ｂが形成され、両者は着脱可能に凹凸嵌合する。突起８ａ，穴部８ｂは、好ましくは、暖房便座１０の先端部と基部両側（蝶番近傍）の計３箇所に設けられる。
【００３２】
このような凹凸嵌合による被覆部材の取付構造は後述の各実施例にも適用可能である。また、被覆部材３は、便座筐体（１，２）を構成するアッパーカバー１上面に、脱着容易なテープで固定することもできる。
【実施例２】
【００３３】
以下、図面を参照して、本発明の第２の実施例に係る暖房便座を説明するが、本実施例が前記第１の実施例と同様の構造を有する点については、適宜前記第１の実施例の記載を参照し、主として、前記第１の実施例との相違点について説明する。
【００３４】
図５は、図１のＡ−Ａ断面図であって、本発明の第２の実施例に係る暖房便座の構造を説明するための図である。
【００３５】
図５を参照すると、第２の実施例において、ヒータ４は、便座筐体（１，２）の外面（アッパーカバー１の外面）にアルミ紙５を介して取り付けられている。
【実施例３】
【００３６】
以下、図面を参照して、本発明の第３の実施例に係る暖房便座を説明するが、本実施例が前記第１の実施例と同様の構造を有する点については、適宜前記第１の実施例の記載を参照し、主として、前記第１の実施例との相違点について説明する。
【００３７】
図６は、図１のＡ−Ａ断面図であって、本発明の第３の実施例に係る暖房便座の構造を説明するための図である。
【００３８】
図６を参照すると、第３の実施例において、断熱材６は、便座筐体（１，２）の内部上面（アッパーカバー１の下面）に取り付けられ、前記空洞の一部を埋めるプレート状断熱材である。
【産業上の利用可能性】
【００３９】
本発明の暖房便座は、既設の便器の便座と交換して取り付けることもでき、便座と便器が一体の暖房便器の暖房便座としても好適に採用される。
【図面の簡単な説明】
【００４０】
【図１】本発明の第１の実施例に係る暖房便座の外観を示す上面図である。
【図２】図１のＡ−Ａ断面図であって、本発明の第１の実施例に係る暖房便座の構造を説明するための図である。
【図３】図１のＢ−Ｂ断面図であって、本発明の第１の実施例に係る暖房便座において、特に、被覆部材の取付構造を説明するための図である。
【図４】図１のＢ−Ｂ断面図であって、本発明の第１の実施例に係る暖房便座において、特に、被覆部材の別の取付構造を説明するための図である。
【図５】図１のＡ−Ａ断面図であって、本発明の第２の実施例に係る暖房便座の構造を説明するための図である。
【図６】図１のＡ−Ａ断面図であって、本発明の第３の実施例に係る暖房便座の構造を説明するための図である。
【符号の説明】
【００４１】
１  アッパーカバー
１ａ  側面
２  ロアーカバー
３  被覆部材
４  ヒータ
５  アルミ紙
６  断熱材
７  断熱材固定用両面テープ
８ａ  突起
８ｂ  穴部
１０  暖房便座
４０  便器
４１  リム面
５０  ゴム足
【図１】
2006197962.tif 000003
【図２】
2006197962.tif 000004
【図３】
2006197962.tif 000005
【図４】
2006197962.tif 000006
【図５】
2006197962.tif 000007
【図６】
2006197962.tif 000008